(57)【要約】【課題】電気光学装置において配線の引き回しに用いられる領域を小さくする。【解決手段】電気光学装置は、基板と、前記基板の上に形成された第１端子と、前記基板の上に形成され、前記第１端子に対し第１方向に配置された第２端子と、前記基板の上に形成され、前記第１端子に対し前記第１方向と異なる第２方向に配置され、前記第１方向における位置が前記第１端子と同じ第３端子と、前記基板の上において前記第１端子および前記第２端子の間を通る位置に形成され、前記第３端子に接続された第１配線とを有する。【選択図】図５
2018017811.tif 000002
【特許請求の範囲】
【請求項１】
基板と、
前記基板の上に形成された第１端子と、
前記基板の上に形成され、前記第１端子に対し第１方向に配置された第２端子と、
前記基板の上に形成され、前記第１端子に対し前記第１方向と異なる第２方向に配置され、前記第１方向における位置が前記第１端子と同じ第３端子と、
前記基板において前記第１端子および前記第２端子の間を通る位置に形成され、前記第３端子に接続された第１配線と
を有する電気光学装置。
【請求項２】
前記基板の上に形成された第１配線層および第２配線層を有し、
前記第１端子および前記第２端子は前記第１配線層に形成され、
前記第１配線は前記第２配線層に形成されている
ことを特徴とする請求項１に記載の電気光学装置。
【請求項３】
前記基板の上に形成された第３配線層を有し、
前記第１端子および前記第２端子は、前記基板に垂直な方向から見たときに、当該第１端子および当該第２端子と重なる領域において、前記第１配線層から前記第２配線層および前記第３配線層に導通している
ことを特徴とする請求項２に記載の電気光学装置。
【請求項４】
前記第１端子と前記第３端子との間における前記第１配線の幅が、当該第１端子と前記第２端子との間における当該第１配線の幅よりも広い
ことを特徴とする請求項１ないし３のいずれか一項に記載の電気光学装置。
【請求項５】
前記基板の上に形成され、前記第３端子に対し前記第１方向に配置された第４端子と、
前記基板の上において前記第３端子および前記第４端子の間を通る位置に形成され、前記第２端子に接続された第２配線と
を有し、
前記第２配線の幅が、前記第１端子と前記第３端子との間における前記第１配線の幅よりも狭い
ことを特徴とする請求項４に記載の電気光学装置。
【請求項６】
前記第１配線をシールドするシールド配線を有する
ことを特徴とする請求項１ないし５のいずれか一項に記載の電気光学装置。
【請求項７】
請求項１ないし６のいずれか一項に記載の電気光学装置を有する電子機器。
【発明の詳細な説明】
【技術分野】
【０００１】
本発明は、電気光学装置および電子機器に関する。
【背景技術】
【０００２】
液晶パネル等の電気光学装置においては、高精細化に伴い、実装に必要な端子の数が増加するという問題がある。これに対し特許文献１には、電極パッド部を千鳥状に配置する技術が開示されている。
【先行技術文献】
【特許文献】
【０００３】
【特許文献１】特開２００９−１９４０５８号公報
【発明の概要】
【発明が解決しようとする課題】
【０００４】
近年、電気光学装置の高解像度化に伴い、実装に用いられる端子の数が増える傾向にある。端子の数が増えると、端子の配置領域および配線の引き回しに用いられる領域が大きくなり、電気光学装置を小型化できないという問題があった。また、引き回し配線の長さの差が大きくなり、電気光学装置の表示品位に問題がでる恐れがあった。
【０００５】
これに対し本発明は、電気光学装置において端子の配置領域および配線の引き回しに用いられる領域の増大を抑制し、小型、高精細で高品位な表示を可能とする技術を提供する。
【課題を解決するための手段】
【０００６】
本発明は、基板と、前記基板の上に形成された第１端子と、前記基板の上に形成され、前記第１端子に対し第１方向に配置された第２端子と、前記基板の上に形成され、前記第１端子に対し前記第１方向と異なる第２方向に配置され、前記第１方向における位置が前記第１端子と同じ第３端子と、前記基板の上において前記第１端子および前記第２端子の間を通る位置に形成され、前記第３端子に接続された第１配線とを有する電気光学装置を提供する。
この電気光学装置によれば、配線の引き回しに用いられる領域を小さくすることができ、ひいては装置全体を小型化することができる。
【０００７】
この電気光学装置は、前記基板の上に形成された第１配線層および第２配線層を有し、前記第１端子および前記第２端子は前記第１配線層に形成され、前記第１配線は前記第２配線層に形成されていてもよい。
この電気光学装置によれば、第１配線と第１端子および第２端子との干渉を低減することができる。
【０００８】
この電気光学装置は、前記基板の上に形成された第３配線層を有し、前記第１端子および前記第２端子は、前記基板に垂直な方向から見たときに、当該第１端子および当該第２端子と重なる領域において、前記第１配線層から前記第２配線層および前記第３配線層に導通していてもよい。
この電気光学装置によれば、端子の冗長性を向上させることができる。
【０００９】
前記第１端子と前記第３端子との間における前記第１配線の幅が、当該第１端子と前記第２端子との間における当該第１配線の幅よりも広くてもよい。
この電気光学装置によれば、第１配線を低抵抗化することができる。
【００１０】
この電気光学装置は、前記基板の上に形成され、前記第３端子に対し前記第１方向に配置された第４端子と、前記基板の上において前記第３端子および前記第４端子の間を通る位置に形成され、前記第２端子に接続された第２配線とを有し、前記第２配線の幅が、前記第１端子と前記第３端子との間における前記第１配線の幅よりも狭くてもよい。
この電気光学装置によれば、配線が形成された領域の平坦性を向上させることができる。
【００１１】
この電気光学装置は、前記第１配線をシールドするシールド配線を有してもよい。
この電気光学装置によれば、第１配線への干渉を低減することができる。
【００１２】
また、本発明は、上記いずれかの電気光学装置を有する電子機器を提供する。
この電子機器によれば、配線の引き回しに用いられる領域を小さくすることができ、ひいては装置全体を小型化することができる。
【図面の簡単な説明】
【００１３】
【図１】一実施形態に係る電気光学装置１の構成を例示する斜視図。
【図２】電気光学装置１の構成を示す模式図。
【図３】素子基板１０１上における端子群Ａ，Ｂの配置を例示する図。
【図４】映像信号入力端子１６１と画素１１１との接続関係を例示する図。
【図５】比較例に係る電気光学パネルの構成を例示する図。
【図６】映像信号線１６０と映像信号入力端子１６１との位置関係を例示する図。
【図７】比較例に係る電気光学パネルの構成を例示する図。
【図８】映像信号線１６０と映像信号入力端子１６１の断面構造を示す模式図。
【図９】画素１１１とデータ線選択回路１５０の等価回路を示す図。
【図１０】電気光学装置１の動作例を示すタイミングチャート。
【図１１】一実施形態に係るプロジェクター２１００を例示する図。
【図１２】映像信号線１６０と映像信号入力端子１６１の変形例１に係る断面構造。
【図１３】映像信号線１６０と映像信号入力端子１６１の変形例２に係る断面構造。
【図１４】映像信号線１６０と映像信号入力端子１６１の変形例３に係る断面構造。
【図１５】映像信号線１６０と映像信号入力端子１６１の変形例４に係る断面構造。
【図１６】変形例５に係る映像信号線１６０と映像信号入力端子１６１の構造。
【発明を実施するための形態】
【００１４】
１．構成
図１は、一実施形態に係る電気光学装置１の構成を例示する斜視図であり、図２は、電気光学装置１の構成を示す模式図である。電気光学装置１は、電気光学パネル１００、第１配線基板２０、および第２配線基板３０を有する。電気光学装置１は、画像の表示に用いられる装置であり、一例としてはプロジェクターのライトバルブとして用いられる。
【００１５】
電気光学パネル１００は、与えられた信号に応じて光学状態が変化する、すなわち画像を形成するものであり、この例では透過型の液晶パネルである。電気光学パネル１００は、素子基板１０１、対向基板１０２、および液晶（この図では図示略）を有する。素子基板１０１と対向基板１０２とは間隙を空けて貼り合わせられている。液晶はこの間隙に封入され、液晶層を形成している。この液晶は、例えばＶＡ（Vertical Alignment）型の液晶である。素子基板１０１（第１基板の一例）は、画素電極（この図では図示略）およびこの画素電極に電圧を書き込むための回路要素（トランジスター等。この図では図示略）が形成された基板である。対向基板１０２（第２基板の一例）は、共通電極（この図では図示略）が形成された基板である。素子基板１０１および対向基板１０２は、いずれも、ガラスや石英等、光透過性を有する材料で形成されている。
【００１６】
第１配線基板２０および第２配線基板３０は、電気光学パネル１００を回路基板等の他の装置に接続するためのものである。第１配線基板２０は、ＦＰＣ（Flexible Printed Circuit）基板２１上に形成された配線および第１駆動回路２２を有する。第２配線基板３０は、ＦＰＣ基板３１上に形成された配線および第２駆動回路３２を有する。第１配線基板２０、および第２配線基板３０はいわゆるＣＯＦ（Chip On Film）である。第１配線基板２０は、電気光学パネル１００の映像信号入力端子１６１Ａ等を含む端子群Ａと接続するための接続領域（図示略）を有する。第２配線基板３０は、電気光学パネル１００の映像信号入力端子１６１Ｂ等を含む端子群Ｂと接続するための接続領域（図示略）を有する。これらの端子群および接続領域により、電気光学パネル１００は、第１配線基板２０および第２配線基板３０に電気的に接続される。
【００１７】
電気光学パネル１００は、画素領域１１０、走査線駆動回路１３０、データ線選択回路１５０、ｎ本の映像信号線１６０、ｎ個の映像信号入力端子１６１、ｋ本の選択信号線１４０、ｋ個の選択信号入力端子１４５、複数の電源端子１７１，１７２，１７３、および対応する電源線１７４，１７５，１７６を有する。ｎは、２以上の整数であり、ｋは２以上の整数である。図２の例ではｋ＝４である。これらの要素は、素子基板１０１上に形成されている。データ線選択回路１５０は、素子基板１０１の画素領域１１０の周辺部の一辺に沿って形成され、走査線駆回路１３０は、データ線選択回路１５０が形成された辺と交差する他の辺に沿って形成される。端子群Ａ，Ｂは、データ線選択回路１５０に対して、画素領域１１０とは反対側、すなわち、基板端側に形成される。
【００１８】
この例で、高精細表示の多数の画素を高速に駆動するため、第１駆動回路２２および第２駆動回路３２を含む駆動回路１０が用いられる。第１駆動回路２２および第２駆動回路３２は、外部の上位回路から入力されるクロック信号、制御信号、および映像信号に従って、電気光学パネル１００に表示させる画像を示す映像信号を出力する。電気光学パネル１００は、第１駆動回路２２および第２駆動回路３２並びに他の回路から入力されるクロック信号および映像信号に従って、画像を表示する。この例では、第１駆動回路２２および第２駆動回路３２は、同じ機能の駆動回路で、データ信号以外は同じ信号を出力することが可能である。
【００１９】
画素領域１１０は、画像を表示する領域である。画素領域１１０は、ｍ本の走査線１１２、（ｋ×ｎ）本のデータ線１１４、および（ｍ×ｋ×ｎ）個の画素１１１を有する。ｍは、１以上の整数である。画素１１１は、走査線１１２とデータ線１１４との交差に対応して設けられ、ｍ行×（ｋ×ｎ）列のマトリクス状に配列される。走査線１１２は、走査信号を伝送する信号線であり、走査線駆動回路１３０から行方向（ｘ方向）に沿って設けられている。データ線１１４は、データ信号を伝送する信号線であり、データ線選択回路１５０から列方向（ｙ方向）に沿って設けられている。走査線１１２とデータ線１１４とは、電気的に絶縁されている。１また、この例では、ｋ本（列）のデータ線１１４に対応するｋ×ｍ個の画素１１１が、１つの画素群（ブロック）を形成している。１列の画素１１１を１つのサブ画素群と考えると、１つの画素群はｋ個（列）のサブ画素群により構成される。ある画素群に属する画素１１１は、データ線選択回路１５０を介して同一の映像信号線１６０に接続される。すなわち、電気光学パネル１００は、ｎ本（列）の映像信号線１６０あるいはｎ個の映像信号入力端子１６１によってｎ個のブロックに区分されたｎ個（列）の画素群を有する。画素１１１の詳細は後述する。以下の説明において、複数の走査線１１２の各々を区別する必要があるときは、第１行、第２行、第３行、…、および第ｍ行の走査線１１２と表す。複数のデータ線１１４の各々を区別する必要があるときは、第１列、第２列、第３列、…、および第（ｋ×ｎ）列のデータ線１１４と表す。映像信号線１６０についても同様である。また、この例では、一つの画素群を構成するｋ個のサブ画素群あるいは対応するｋ本のデータ線１１４は行方向に連続配置しているが、必ずしも連続しなくてもよい。
【００２０】
走査線駆動回路１３０は、マトリクス状に配置された複数の画素１１１の中から、データを書き込む行を選択する。具体的には、走査線駆動回路１３０は、複数の走査線１１２の中から１本の走査線１１２を選択するための走査信号を出力する。走査線駆動回路１３０は、第１行、第２行、第３行、…、および第ｍ行の走査線１１２に、走査信号Ｙ１、Ｙ２、Ｙ３、…、およびＹｍを供給する。この例で、走査信号Ｙ１、Ｙ２、Ｙ３、…、およびＹｍは、順次排他的にハイレベルとなる信号である。
【００２１】
データ線選択回路１５０は、各画素群において、データを書き込む画素１１１の列を選択する。具体的には、データ線選択回路１５０は、その画素群に属するｋ本のデータ線１１４の中から少なくとも１本のデータ線１１４を、選択信号ＳＥＬ［１］〜ＳＥＬ［ｋ］に応じて選択する。データ線１１４は、データ線選択回路１５０により、ｋ本を単位として、１本ずつ１本の映像信号線１６０に接続される。データ線選択回路１５０は、ｎ個の画素群の各々に対応する、ｎ個のデマルチプレクサー１５１を有する。デマルチプレクサー１５１の詳細は後述する。
【００２２】
映像信号線１６０は、映像信号入力端子１６１とデータ線選択回路１５０との間を接続する。映像信号線１６０は、映像信号入力端子１６１を介して、第１配線基板２０および第２配線基板３０から入力された映像信号Ｓ（Ｓ［１］〜Ｓ［ｎ］）を、データ線選択回路１５０に伝送する信号線であり、ｎ個の映像信号入力端子１６１あるいはｎ個の画素群の各々に対応して、ｎ列（本）設けられる。映像信号Ｓは、画素１１１に書き込まれるデータを示す信号である。ここで、「映像」は静止画または動画をいう。１本の映像信号線１６０は、データ線選択回路１５０を介してｋ本のデータ線１１４に接続される。したがって、映像信号Ｓにおいては、これらｋ本のデータ線１１４に供給されるデータが時分割多重されている。
【００２３】
選択信号線１４０は、選択信号入力端子１４５とデータ線選択回路１５０のデマルチプレクサー１５０の間を接続する。選択信号線１４０（１４０［１］〜１４０［ｋ］）は、選択信号入力端子１４５（１４５［１］〜１４５［ｋ］）から入力された選択信号ＳＥＬ（ＳＥＬ［１］〜ＳＥＬ［ｋ］）を伝送する信号線であり、ｋ本設けられる。選択信号ＳＥＬは、順次ハイレベルとなる信号である。
【００２４】
映像信号入力端子１６１は、第１配線基板２０および第２配線基板３０に接続される端子（電極パッド）であり、映像信号Ｓ［ｊ］が供給される（ｊは、１≦ｊ≦ｎを満たす整数）。この例では、第１配線基板２０の第１駆動回路２２から、第１列、第３列、第５列、…、第（２ｔ−１）列の奇数列の映像信号線１６０に対応する映像信号入力端子１６１に、映像信号Ｓ［１］、Ｓ［３］、Ｓ［５］、…、Ｓ［２ｔ−１］が供給される（ｔは、１≦ｔ≦ｎ/２の整数）。また、第２配線基板３０の第２駆動回路３２から、第２列、第４列、第６列、…、第（２ｔ）列の偶数列の映像信号線１６０に対応する映像信号入力端子１６１に、映像信号Ｓ［２］、Ｓ［４］、Ｓ［６］、…、Ｓ［２ｔ］が供給される。映像信号Ｓは、いわゆるデータ信号であり、この例では端子群Ａ，Ｂのそれぞれ対応する映像信号入力端子１６１には、画像の表示に応じた異なる波形の信号が供給される。例えば、アナログ信号である。
【００２５】
選択信号入力端子１４０は、第１配線基板２０および第２配線基板３０に接続される端子（電極パッド）であり、選択信号ＳＥＬが供給される。第１配線基板２０の第１駆動回路２２および第２配線基板３０の第２駆動回路３２の両方あるいは一方から、選択信号ＳＥＬが供給される。選択信号ＳＥＬは、データ線選択回路１５０において、データ線１１４を選択するタイミング信号である、この例では、選択信号ＳＥＬは、端子群Ａ，Ｂのそれぞれ対応する選択信号入力端子１４０には、同じ波形の信号が供給される。例えば、パルス信号である。
【００２６】
電源端子１７１、電源端子１７２、および電源端子１７３は、第１配線基板２０および第２配線基板３０に接続される端子（電極パッド）であり、電源電圧が供給される。電源電圧とは、電気光学パネル１００において電源として用いられる電圧であり、この例では直流電圧である。電源端子１７１は電圧ＬＣＣＯＭを、電源端子１７２は電圧ＶＳＳＹを、電源端子１７３は電圧ＶＤＤＹを、それぞれ供給するための端子である。電圧ＬＣＣＯＭは、液晶層に印加される電圧の基準電位となる電圧である。電圧ＶＳＳＹは、走査線駆動回路１３０における低電圧側の電源電位となる電圧である。電圧ＶＤＤＹは、走査線駆動回路１３０における高電圧側の電源電位となる電圧である。
【００２７】
図３は、素子基板１０１上における端子群Ａ，Ｂの配置関係を例示する図である。図１および図２での説明のように、端子群Ａ，Ｂは、素子基板１０１の周辺領域の１辺に配置されている。端子群Ａは、第１配線基板２０と接続される端子群であり、端子群Ｂは、第２配線基板３０と接続される端子群である。端子群Ａ，Ｂには、それぞれ、複数の映像信号入力端子１６１、複数の選択信号入力端子１４５、複数の電源端子１７１〜１７３等が含まれる。端子群Ｂは、端子群Ａに対して、素子基板１０１の縦方向（列方向）に配置されている。この例では、端子群Ｂは、端子群Ａに対して、画素領域１１０とは反対側、すなわち、基板端側に形成される。
【００２８】
端子群Ａは、映像信号入力端子１６１Ａ、選択信号入力端子１４５Ａ、電源端子１７１Ａ〜１７３Ａを含み、各端子は、素子基板１０１の横方向（行方向）に沿って１行に配置されている。端子群Ｂは、映像信号入力端子１６１Ｂ、選択信号入力端子１４５Ｂ、電源端子１７１Ｂ〜１７３Ｂを含み、各端子は、素子基板１０１の横方向に沿って１行に配置されている。映像信号入力端子１６１Ｂ、選択信号入力端子１４５Ｂ、および電源端子１７１Ｂ〜１７３Ｂは、それぞれ、映像信号入力端子１６１Ａ、選択信号入力端子１４５Ａ、および電源端子１７１Ａ〜１７３Ａに対して、それぞれ、横方向の位置は同じで、縦方向に配置されている。また、この例では、端子群Ａと端子群Ｂの横方向の位置が同じ各端子はそれぞれ、同じ種類の信号が入力される端子であり、端子の形状も同じである。
【００２９】
また、映像信号入力端子１６１Ａおよび映像信号入力端子１６１Ｂは、少なくとも、合計ｎ個配置されている。この例では、映像信号入力端子１６１Ａおよび映像信号入力端子１６１Ｂは同数で、それぞれ、ｎ／２個が、端子群の横方向の中央に配置されている。
【００３０】
選択信号入力端子１４５Ａおよび選択信号入力端子１４５Ｂは、映像信号入力端子１６１Ａおよび映像信号入力端子１６１Ｂの両側に、それぞれ、ｋ個ずつ配置されている（図３では、両側１個ずつのみを示してある）。選択信号入力端子１４５Ａおよび選択信号入力端子１４５Ｂは、それぞれ、両側に設けられることにより、選択信号線１４０の両端から選択信号ＳＥＬを入力することができる。また、選択信号入力端子１４５Ａおよび選択信号入力端子１４５Ｂを設けることにより、第１回路基板２０および第２回路基板の両方あるいは一方から選択信号ＳＥＬを入力することができる。また、図２の例のように、選択信号入力端子１４５を映像信号入力端子１６１のどちらか片側だけにｋ個設け、選択信号線１４０の一端から選択信号ＳＥＬを入力してもよい。
【００３１】
電源端子１７１Ａ〜１７３Ａおよび電源端子１７１Ｂ〜１７３Ｂは、それぞれ、映像信号入力端子１６１Ａおよび映像信号入力端子１６１Ｂの両側に設けられている。これは、例えば走査線駆動回路１３０が基板１０１の左右両側に１つずつ設けられる構成に対応するためである。図２の例のように、走査線駆動回路１３０が１つだけ用いられる構成においては、選択信号入力端子１４５および電源端子１７１〜１７３が映像信号入力端子１６１のどちらか片側だけに設けられていてもよい。
【００３２】
なお、図３においても、縦方向は、画素領域１１０においてデータ線１１４が延びている列方向、すなわち、ｙ方向である。また、横方向は、画素領域１１０において走査線１１２が延びている行方向、すなわち、ｘ方向である。縦方向は、第１方向の一例であり、横方向は、第２方向の一例である。また、それらの方向は、液晶パネル１００の画像の表示に対しても、それぞれ、縦方向および横方向である。
【００３３】
端子群Ａは、第１端子群の一例であり、この例では、第１配線基板２０と接続するための端子群であり、映像信号入力端子１６１Ａ、選択信号入力端子１４５Ａ、および電源端子１７１Ａ〜１７３Ａが横方向に沿って１行に並べられている。なお、電源端子１７１Ａ、電源端子１７２Ａ、および電源端子１７３Ａは、それぞれ、第１電源端子、第３電源端子、および第４電源端子の一例である。端子群Ｂは、第２端子群の一例であり、この例では、第２配線基板３０と接続するための端子群であり、映像信号入力端子１６１Ｂ、選択信号入力端子１４５Ｂ、および電源端子１７１Ｂ〜１７３Ｂが横方向に沿って端子群Ａに対応して１行に並べられている。なお、電源端子１７１Ｂ、電源端子１７２Ｂ、および電源端子１７３Ｂは、それぞれ、第２電源端子、第５電源端子、および第６電源端子の一例である。
【００３４】
電気光学パネル１００において、端子群Ｂは、端子群Ａに対して縦方向（ｙ方向において異なる位置）に配置されている。端子群Ａおよび端子群Ｂという２つの端子群が設けられていることにより、それぞれ別の配線基板（この例では第１配線基板２０および第２配線基板３０）に接続することができ、それぞれ別の駆動回路（この例では第１駆動回路２２および第２線駆動回路３２）で駆動することができる。
【００３５】
さらに、端子群Ａと端子群Ｂとが縦方向に配置されていることにより、端子群Ａと端子群Ｂとが横方向に配置されている場合と比較して、各端子間の横方向の間隔を粗に（広く）配置することができる、あるいは、各端子の横方向のサイズを大きくすることができる。
【００３６】
図４は、映像信号入力端子１６１と画素１１１との接続関係を例示する図である。図４では、図２の例に示すｎ個の画素群およびｎ個の映像信号入力端子１６１のうち、連続する２個の画素群と、それらに対応する２個の映像信号入力端子１６１のみを示してある。また、それらに対応する映像信号線１６０およびデマルチプレクサー１５１も示してある。この例では、映像信号入力端子１６１は、奇数番目（奇数列目）の画素群（ブロック）に接続されている端子および偶数番目（偶数列目）の画素群（ブロック）に接続されている端子の２グループに分けられる。ここでは、奇数番目の画素群に対応する端子は端子群Ａの映像信号入力端子１６１Ａであり、偶数番目の画素群に対応する端子は端子群Ｂの映像信号入力端子１６１Ｂである。デマルチプレクサー１５１Ａは、奇数番目の画素群に対応するデマルチプレクサー１５１であり、デマルチプレクサー１５１Ｂは、偶数番目の画素群に対応するデマルチプレクサー１５１である。映像信号入力端子１６１Ａは、奇数番目の映像信号線１６０およびデマルチプレクサー１５１Ａを介して、奇数番目の画素群のデータ線１１４と接続される。また、映像信号入力端子１６１Ｂは、偶数番目の映像信号線１６０およびデマルチプレクサー１５１Ｂを介して、偶数番目の画素群のデータ線１１４と接続される。映像信号入力端子１６１Ａおよび映像信号入力端子１６１Ｂは、接続されているデマルチプレクサーが異なっているだけでなく、映像信号Ｓが供給される配線基板（駆動回路）も異なって接続される。この例では、映像信号入力端子１６１Ａおよび映像信号入力端子１６１Ｂは、それぞれ、第１配線基板２０および第２配線基板３０に接続され、第１駆動回路２２および第２駆動回路３２から映像信号が供給される。すなわち、端子群Ａである第１行目の映像信号入力端子１６１Ａは、第１駆動回路２２から奇数番目の画素群に対応する映像信号Ｓ１、Ｓ３、Ｓ５、…、Ｓ（２ｔ−１）が供給される。また、端子群Ｂである第２行目の映像信号入力端子１６１Ｂは、第２駆動回路３２から偶数番目の画素群に対応する映像信号Ｓ１、Ｓ３、Ｓ５、…、Ｓ（２ｔ）が供給される。なお、端子群Ａの映像信号入力端子１６１Ａは、第１映像信号入力端子の一例であり、端子群Ｂの映像信号入力端子１６１Ｂは、第２映像信号入力端子の一例である。
【００３７】
端子群Ａの映像信号入力端子１６１Ａに接続された画素群は、第１画素群の一例であり、端子群Ｂの映像信号入力端子１６１Ｂに接続された画素群は、第２画素群の一例である。この例で、第１画素群および第２画素群は、それぞれ、横方向においてｎ／２個ずつ配置されている。各画素群は連続するｋ本のデータ線１１４を備えるので、データ線１１４は、連続するｋ本を単位として交互に映像信号入力端子１６１Ａおよび映像信号入力端子１６１Ｂに接続される。また、デマルチプレクサー１５１は、第１画素群および第２画素群のそれぞれについて、ｋ列のサブ画素群の中から１列のサブ画素群を選択する。この例では、ｋ本のデータ線１１４は行方向に連続しているので、デマルチプレクサー１５１は、各画素群に対応して、行方向（ｘ方向）に配置することができ、映像信号線１６０同士、または、映像信号線１６０とデータ信号に影響を与える配線との交差を防止できる。
【００３８】
また、この例では、１つの映像信号入力端子１６１はデータ線選択回路１５０を介して４本（ｋ＝４）のデータ線１１４に接続される。一例として、画素領域１１０でのデータ線１１４の間隔（例えば２つのデータ線の中心間の距離）を６μｍとして横方向（行方向）に連続配置された４本のデータ線１１４がブロックを形成する例を考える。高精細の電気光学パネル１００では、端子群の配置領域のサイズに占める映像信号入力端子１６１の割合は大きくなる。映像信号入力端子１６１が、横方向に１行に配置される図５の比較例では、画素領域１１０と映像信号入力端子１６１の配置領域（ほぼ端子群の配置領域）の横方向のサイズ（幅）を同程度とする場合には、隣り合う映像信号入力端子１６１同士の間隔（端子の中心間の距離）は２４μｍ（４×６μｍ）となる（図５（ａ））。これは、端子群の配置領域のサイズと画素領域１１０のサイズと同程度とするためには、端子を構成する電極パッドの大きさが２４μｍ未満でなければならないことを意味し、配線基板と電気光学パネルとの高度な実装能力が必要であり、容易でない。また、電極パッドの大きさを４８［μｍ］とする場合は、端子群の横方向のサイズは、少なくともｎ×４８［μｍ］であり、画素領域１１０の横方向のサイズに対応するｎ×２４［μｍ］（ｎ×４×６［μｍ］）に対して、２倍程度のサイズとなり、電気光学パネル１００の小型化が図れない（図５（ｂ））。しかし、本実施形態のように映像信号入力端子１６１Ａと映像信号入力端子１６１Ｂとが縦方向に２行に配置された例では、隣り合う映像信号入力端子１６１Ａ同士の間隔は４８［μｍ］とすることが可能であり、１つの電極パッドとして利用できる幅は比較例に比べ２倍程度に増え、実装が容易となる。また、電極パッドの大きさを４８［μｍ］程度としても、映像信号入力端子１６１の配置領域の横方向のサイズは、ｎ×２４［μｍ］（ｎ／２×４８［μｍ］）となり、画素領域１１０の横方向のサイズに対応するｎ×２４［μｍ］（ｎ×４×６［μｍ］）に対して、同程度となる。
【００３９】
データ線１１４の間隔をｄ［μｍ］、映像信号入力端子１６１の電極パッド間隔をｐ［μｍ］、縦に配置する端子群の数、すなわち接続する配線基板の数をｃ［個］とすると、画素領域１１０の横方向のサイズは少なくともｋ×ｎ×ｄ［μｍ］であり、映像信号入力端子１６１の配置に必要なサイズは少なくともｎ／ｃ×ｐ［μｍ］である。画素領域１１０の横方向のサイズより、映像信号入力端子１６１を１行に配置するのに必要なサイズを小さくする方（ｎ／ｃ×ｐ＜ｋ×ｎ×ｄ）が、電気光学パネルの小型化には効果的である。すなわち、ｐ／ｃ＜ｋ×ｄの関係を満足するように、ｃ、ｐ、ｋおよびｄを決定すれば、駆動回路の能力、配線基板と電気光学パネルとの実装能力等にあまり依存することなく、小型で高精細の電気光学装置１が実現できる。例えば、で、ｋ＝８、ｃ＝２で、ｎ＝５２０で、ｄ＝６［μｍ］とすれば、データ線１１４の本数が４１６０本（８×５２０本）で、画素領域１１０の横方向のサイズが２４９６０［μｍ］（６×４１６０［μｍ］）の小型で高精細な電気光学パネル１００が実現できる。この場合、映像信号入力端子１６１の配置領域の１行の横方向のサイズは、２６０×ｐ［μｍ］（５２０／２×ｐ［μｍ］）であり、電極パッド間隔ｐは９６［μｍ］（２４９６０／２６０［μｍ］）程度まで可能となり、実装が容易となる。さらに、電極パッドのサイズ(幅)を５６［μｍ］とした場合、電極パッド同士の横方向の隙間は４０［μｍ］となり、映像信号入力端子１６１Ａ同士の間に１０［μｍ］程度(例えば、８〜１２［μｍ］)の映像信号線１６０Ｂを容易に配置でき、縦に配置された端子群から配線の引き回しも容易となる。
【００４０】
映像信号Ｓを２６０系統出力できる駆動回路２２，３２をそれぞれ備える２個の配線基板２１，３１を、２行に配置された端子群Ａ，Ｂにそれぞれ接続することにより、端子実装が容易で、高精細表示に対応する４１６０本（８×２×２６０本）のデータ線１１４の駆動が容易となる。
【００４１】
さらに、この例では、第１駆動回路２２により駆動される画素群と第２駆動回路３２により駆動される画素群とが交互に配置されている。すなわち、データ線１１４は、第１駆動回路２２に接続されるものと第２駆動回路３２に接続されるものとがｋ本毎に交互に配置されている。これにより、例えば、全データ線１１４の左半分が第１駆動回路２２に、右半分が第２駆動回路３２に接続されている場合と比較して、駆動回路の特性のばらつきに起因した表示ムラを抑制することができる。
【００４２】
図６は、素子基板１０１の端子領域における映像信号線１６０と映像信号入力端子１６１との位置関係を例示する図である。この例で、端子群Ｂに接続された映像信号線１６１Ｂは、端子群Ａの端子間を通る位置に形成されている。説明のため、図の左からｉ番目の映像信号入力端子１６１Ａを、映像信号入力端子１６１Ａ［ｉ］と表す。映像信号入力端子１６１Ｂ、映像信号線１６０Ａ、および映像信号線１６０Ｂに付いても同様である。素子基板１０１に垂直な方向から見たとき、映像信号線１６０Ｂは、隣り合う２つの映像信号入力端子１６１Ａの間を通る位置に形成されている。より詳細には、映像信号線１６０Ｂ［ｉ］は、映像信号入力端子１６１Ａ［ｉ］および映像信号入力端子１６１Ａ［ｉ＋１］の間を通る位置に形成されている。例えば、映像信号線１６０Ｂ［１］は、映像信号入力端子１６１Ａ［１］および映像信号入力端子１６１Ａ［２］の間を通る位置に形成されている。ここで、映像信号入力端子１６１Ａ［１］は第１端子の一例であり、映像信号入力端子１６１Ａ［２］は第１端子に対し第１方向（ｘ方向）に配置された第２端子の一例である。映像信号入力端子１６１Ｂ［１］は、第１端子に対し第１方向と異なる第２方向（ｙ方向）に配置された第３端子の一例である。映像信号入力端子１６１Ｂ［２］は、第３端子に対し第１方向（ｘ方向）に配置された第４端子の一例である。映像信号線１６０Ｂ［１］は、第１端子および第２端子の間を通る位置に形成され、第３端子に接続された第１配線の一例である。なおこの例で、映像信号入力端子１６１Ａと映像信号入力端子１６１Ｂとは、ｘ方向の位置は同じである。
【００４３】
図７は、比較例に係る電気光学パネルの構造を例示する図である。この例で、端子群Ｂに接続された信号線は、端子群Ａの全体を回避する位置に形成されている。図４の例と比較すると、端子群Ａと端子群Ｂとの間の領域ＡＢ、並びに端子群Ａおよび端子群Ｂの両側の領域ＡＳを、図４の例よりも広く確保する必要があり、電気光学パネルの小型化の妨げとなる。これに対し図４の例を用いた本実施形態に係る電気光学パネル１００によれば、映像信号線１６０Ｂの配線領域を設ける必要がなく、領域ＡＢおよび領域ＡＳに対応する領域を狭くすることができ、パネル全体を小型化することができる。
【００４４】
図８は、映像信号線１６０Ａおよび映像信号入力端子１６１Ｂの断面構造を示す模式図である。この図は、図５のＡ−Ａ断面を模式的に示している。この例で、電気光学パネル１００はいわゆる多層配線構造を有している。素子基板１０１の基板側から、半導体層５０１、配線層５０２（第３配線層の一例）、配線層５０３（第２配線層の一例）、および配線層５０４（第１配線層の一例）が形成されている。これらの層は、絶縁膜５０５〜５０８により絶縁されている。さらに、最表面には、一部、キャップ層５０９が形成されている。半導体層５０１は、スイッチング用のトランジスターを形成するための層であり、例えば多結晶ＳｉやアモルファスＳｉにより形成される。配線層５０２〜５０４は、映像信号入力端子１６１および映像信号線１６０並びにその他の端子および信号線を形成するための層であり、導電性の材料、例えばＡｌやＣｕ、またはこれらを基にした合金により形成される。絶縁膜５０５〜５０８は、絶縁性の材料、例えばＳｉＯ２やＳｉＮのような酸化物もしくは窒化物、またはポリイミドやポリアミドのような樹脂により形成される。映像信号入力端子１６１に相当する領域においては、電気的な接触を得るため絶縁膜５０８がエッチングされ、配線層５０４が絶縁膜５０８の外に露出している。キャップ層５０９は、露出した配線層５０４を保護するための層であり、導電性の材料、例えばＩＴＯ（酸化インジウム錫）により形成されている。
【００４５】
この例で、映像信号入力端子１６１Ａは、半導体層５０１、配線層５０２、配線層５０３、および配線層５０４がすべて対応するパターンに形成されており、このうち、配線層５０２、配線層５０３、および配線層５０４はコンタクトホール５１１およびコンタクトホール５１２を介して短絡されている。このように端子部分を複数層に渡って短絡しているのは端子の冗長性を確保する（端子部を低抵抗に保つため）ためである。映像信号線１６０Ｂは、この領域では配線層５０３にのみ形成されている。なお、映像信号入力端子１６１Ａおよび映像信号線１６０Ｂ以外の端子および信号線も、同様の構造を有している。映像信号入力端子１６１Ａに接続される映像信号線１６０Ａは、映像信号入力端子１６１Ａと同じ配線層に形成されてもよいし、層間のコンタクトホールを介して他の配線層に形成されてもよい。映像信号線１６０Ａが配線層５０４に形成される場合は、映像信号線１６０Ａに相当する領域において絶縁膜５０８はエッチングされない。なお、配線層５０１は、半導体層であるため短絡しても電気的な冗長性の効果は弱いが、端子部の高さ調整等、他の冗長性のために形成されている。配線層５０１は、端子部の他の領域においても同様に形成される。
【００４６】
図９は、画素１１１およびデータ線選択回路１５０のデマルチプレクサー１５１の等価回路を示す図である。図９では、画素領域１１０の第ｉ行の第（ｋ×ｊ−ｋ＋１）列〜第（ｋ×ｊ）列の画素１１１と、それらに対応するデマルチプレクサー１５１が示されている（ｉは、１≦ｉ≦ｍを満たす整数）。第ｉ行において、一つのブロックは、連続するｋ個（この例ではｋ＝４）の画素１１１から構成される。画素１１１は、ＴＦＴ（Thin Film Transistor）１１６と、画素電極１１８と、液晶層１２０と、共通電極１０８と、保持容量１１７とを有する。ＴＦＴ１１６は、画素電極１１８へのデータの書き込み（電圧の印加）を制御するスイッチング素子であり、この例ではｎチャネル型の電界効果トランジスターである。ＴＦＴ１１６のゲート電極は走査線１１２に接続され、ソース電極はデータ線１１４に接続され、ドレイン電極は画素電極１１８に接続されている。走査線１１２にハイレベルの走査信号が供給されるとＴＦＴ１１６はオン状態になり、データ線１１４と画素電極１１８とが低インピーダンス状態になる。すなわち、画素電極１１８にデータが書き込まれる。走査線１１２にローレベルの走査信号が供給されるとＴＦＴ１１６はオフ状態になり、データ線１１４と画素電極１１８とは高インピーダンス状態になる。共通電極１０８はすべての画素１１１について共通である。共通電極１０８には、例えば第１駆動回路２２および第２駆動回路３２により、共通電圧ＬＣＣＯＭが印加される。液晶層１２０には、画素電極１１８と共通電極１０８との電位差に相当する電圧が印加され、この電圧に応じて光学的特性（透過率または反射率）が変化する。保持容量１１７は、液晶層１２０に並列に接続されており、画素電極１１８と共通電圧ＶＣＯＭとの電位差に相当する電荷を保持する（この例では、ＶＣＯＭ＝ＬＣＣＯＭである）。以下、ある特定の画素群において画素１１１に含まれる要素の各々を区別するときは、ＴＦＴ１１６［ｓ］のように表記して区別する（ｓは、１≦ｓ≦ｋを満たす整数）。
【００４７】
デマルチプレクサー１５１は、選択信号ＳＥＬ［１］〜ＳＥＬ［ｋ］に応じて選択されたデータ線１１４に、映像信号Ｓを供給する回路である。デマルチプレクサー１５１には、映像信号入力端子１６１から入力された映像信号Ｓが、映像信号線１６０を介して供給される。一つのデマルチプレクサー１５１は、１つの映像信号入力部と、ｋ個の選択信号入力部と、ｋ個の映像信号出力部と、ｋ個のＴＦＴ１５２（１５２［１］〜１５２［ｋ］）とを有し、映像信号線１６０を介して１つの映像信号入力端子１６１と、選択信号線１４０を介してｋ個の選択信号入力端子１４５（１４５［１］〜１４５［ｋ］）と、ｋ個のデータ線１１４とに接続される。ＴＦＴ１５２は、ゲートに入力される選択信号ＳＥＬに応じてデータ線１１４を選択するためのスイッチング素子である。
【００４８】
ＴＦＴ１５２［１］のゲート電極は、選択信号線１４０［１］に接続され、ソース電極は第ｊ列の映像信号線１６０に接続され、ドレイン電極は第（４ｊ−３）列のデータ線１１４（すなわち、第ｊ番目の画素群のＴＦＴ１１６［１］のソース電極）に接続されている。選択信号線１４０［１］にハイレベルの選択信号ＳＥＬ［１］が供給されるとＴＦＴ１５２はオン状態になり、第ｊ列の映像信号線１６０と第（４ｊ−３）列のデータ線１１４とが低インピーダンス状態になり導通する。すなわち、第（４ｊ−３）列のデータ線１１４に映像信号Ｓ［ｊ］が供給される。選択信号線１４０［１］にローレベルの選択信号ＳＥＬ［１］が供給されるとＴＦＴ１５２［１］はオフ状態になり、第ｊ列の映像信号線１６０と第（４ｊ−３）列のデータ線１１４とが高インピーダンス状態になる。
【００４９】
ＴＦＴ１５２［２］のゲート電極は、選択信号線１４０［２］に接続され、ソース電極は第ｊ列の映像信号線１６０に接続され、ドレイン電極は第（４ｊ−２）列のデータ線１１４（すなわち、第ｊ番目の画素群のＴＦＴ１１６［２］のソース電極）に接続されている。選択信号線１４０［２］にハイレベルの選択信号ＳＥＬ［２］が供給されるとＴＦＴ１５２［２］はオン状態になり、第ｊ列の映像信号線１６０と第（４ｊ−２）列のデータ線１１４とが導通する。すなわち、第（４ｊ−２）列のデータ線１１４に映像信号Ｓ［ｊ］が供給される。選択信号線１４０［２］にローレベルの選択信号ＳＥＬ［２］が供給されるとＴＦＴ１５２［２］はオフ状態になり、第ｊ列の映像信号線１６０と第（４ｊ−２）列のデータ線１１４とが高インピーダンス状態になる。
【００５０】
ＴＦＴ１５２［３］のゲート電極は、選択信号線１４０［３］に接続され、ソース電極は第ｊ列の映像信号線１６０に接続され、ドレイン電極は第（４ｊ−１）列のデータ線１１４（すなわち、第ｊ番目の画素群のＴＦＴ１１６［３］のソース電極）に接続されている。選択信号線１４０［３］にハイレベルの選択信号ＳＥＬ［３］が供給されるとＴＦＴ１５２［３］はオン状態になり、第ｊ列の映像信号線１６０と第（４ｊ−１）列のデータ線１１４とが導通する。すなわち、第（４ｊ−１）列のデータ線１１４に映像信号Ｓ［ｊ］が供給される。選択信号線１４０［３］にローレベルの選択信号ＳＥＬ［３］が供給されるとＴＦＴ１５２［３］はオフ状態になり、第ｊ列の映像信号線１６０と第（４ｊ−１）列のデータ線１１４とが高インピーダンス状態になる。
【００５１】
ＴＦＴ１５２［４］のゲート電極は、選択信号線１４０［４］に接続され、ソース電極は第ｊ列の映像信号線１６０に接続され、ドレイン電極は第４ｊ列のデータ線１１４（すなわち、第ｊ列の画素群のＴＦＴ１１６［４］のソース電極）に接続されている。選択信号線１４０［４］にハイレベルの選択信号ＳＥＬ［４］が供給されるとＴＦＴ１５２［４］はオン状態になり、第ｊ列の映像信号線１６０と第４ｊ列のデータ線１１４とが導通する。すなわち、第４ｊ列のデータ線１１４に映像信号Ｓ［ｊ］が供給される。選択信号線１４０［４］にローレベルの選択信号ＳＥＬ［４］が供給されるとＴＦＴ１５２［４］はオフ状態になり、第ｊ列の映像信号線１６０と第４ｊ列のデータ線１１４とが高インピーダンス状態になる。
【００５２】
２．動作
図１０は、電気光学装置１の動作例を示すタイミングチャートである。ここでは説明のため、水平同期信号Ｈｓｙｎｃ、走査信号Ｙ１〜Ｙ３、走査信号Ｙ１〜Ｙ３がハイレベルのタイミングに対応した選択信号ＳＥＬ［１］〜［ｋ］、および映像信号Ｓ［１］〜［ｎ］を図示している。映像信号Ｓ［ｊ］には、対応する画素群のｋ本の画素１１１である第［ｋ×ｊ−ｋ＋１］〜第［ｋ×ｊ］列の画素１１１に書き込まれるデータが時分割多重されている。また、この例では、Ｓ［ｊ］は、Ｓ［２ｔ−１］である場合は、第１駆動回路２２から映像信号入力端子１６１Ａおよび映像信号線１６０Ａを介して、奇数番目の画素群のデータ線１１４に供給される。Ｓ［２ｔ］である場合は、第２駆動回路３２から、映像信号入力端子１６１Ｂおよび映像信号線１６０Ｂを介して、偶数番目の画素群のデータ線１１４に供給される。例えば、映像信号Ｓ［１］およびＳ［２］は、それぞれ、映像信号入力端子１６１Ａおよび映像信号入力端子１６１Ｂに供給される映像信号Ｓである。この例ではｋ＝４であり、４本のデータ線１１４は横方向に連続配置する。映像信号Ｓ１〜Ｓ（２ｔ−１）には、第１，第２，第３、第４列〜第（８ｔ−７），第（８ｔ−６），第（８ｔ−５），第（８ｔ−４）列の画素１１１に書き込まれるデータが時分割多重されており、映像信号Ｓ２〜Ｓ（２ｔ）には、第５，第６，第７，第８列〜第（８ｔ−３），第（８ｔ−２），第（８ｔ−１），第（８ｔ）列の画素１１１に書き込まれるデータが時分割多重されている。なお図中において映像信号の波形内に記載されている数字は、その信号の供給先となるデータ線１１４を示している。例えば、映像信号Ｓ１において「１」と記載された期間のデータは、第１列のデータ線１１４に供給される。
【００５３】
第１駆動回路２２および第２駆動回路３２の２つの駆動回路を用いることにより、これらを単独で用いた場合と比較して１周期で２倍の画素に対してデータの書き込みを行うことができる。既に説明したように第１駆動回路２２および第２駆動回路３２はそれぞれ異なる配線基板（第１配線基板２０および第２配線基板３０に設けられる。第１駆動回路２２から供給される映像信号が入力される映像信号入力端子１６１Ａと第２駆動回路３２から供給される映像信号入力端子１６１Ｂとが縦方向に配置されることにより、これらが横方向に配置される場合と比較して小型で高精細化をすることができる。また、高速駆動も容易となる。
【００５４】
上記例では、ｋ本のデータ線１１４は、連続配置されるとしたが、連続配置されないｋ本を１単位することも可能である。例えば、データ線１１４は、１本ずつ交互に映像信号入力端子１６１Ａおよび映像信号入力端子１６１Ｂに接続される。すなわち、データ線１１４は、連続しないｋ本を単位として、デマルチプレクサー１５１および映像信号線１６０を介して、１本ずつ交互に第１駆動回路２２および第２駆動回路３２に接続され、それぞれ、駆動される。この例で、第１画素群は奇数列目のデータ線１１４に対応して構成され、第２画素群は偶数列目のデータ線１１４に対応して構成される。例えば、ｋ＝４の場合、第１番目の第１画素群は、第１、第３、第５、および第７列目のデータ線１１４に対応して構成されており、第１番目の第２画素群は、第２、第４、第６、および第８番目のデータ線１１４に対応して構成される。
【００５５】
３．適用例
図１１は、一実施形態に係るプロジェクター２１００を例示する図である。プロジェクター２１００は、電気光学装置１を用いた電子機器の一例である。プロジェクター２１００において、電気光学装置１がライトバルブとして用いられ、装置を大きくすることなく高精細で明るい表示が可能である。この図に示されるように、プロジェクター２１００の内部には、ハロゲンランプ等の白色光源を有するランプユニット２１０２が設けられている。ランプユニット２１０２から射出された投射光は、内部に配置された３枚のミラー２１０６および２枚のダイクロイックミラー２１０８によってＲ（赤）色、Ｇ（緑）色、Ｂ（青）色の３原色に分離される。分離された投射光は、各原色に対応するライトバルブ１００Ｒ、１００Ｇおよび１００Ｂにそれぞれ導かれる。なお、Ｂ色の光は、他のＲ色やＧ色と比較すると光路が長いので、その損失を防ぐために、入射レンズ２１２２、リレーレンズ２１２３および出射レンズ２１２４を有するリレーレンズ系２１２１を介して導かれる。
【００５６】
プロジェクター２１００において、電気光学装置１を含む液晶表示装置が、Ｒ色、Ｇ色、Ｂ色のそれぞれに対応して３組設けられている。ライトバルブ１００Ｒ、１００Ｇおよび１００Ｂの構成は、上述した電気光学パネル１００と同様であり、それぞれ、第１配線基板２０、および第２配線基板３０を介してプロジェクター２１００内の上位回路と接続される。Ｒ色、Ｇ色、Ｂ色のそれぞれの原色成分の階調レベルを指定する映像信号がそれぞれ外部上位回路から供給されて、プロジェクター２１００内の上位回路で処理され、ライトバルブ１００Ｒ、１００Ｇおよび１００がそれぞれ駆動される。ライトバルブ１００Ｒ、１００Ｇ、１００Ｂによってそれぞれ変調された光は、ダイクロイックプリズム２１１２に３方向から入射する。そして、ダイクロイックプリズム２１１２において、Ｒ色およびＢ色の光は９０度に屈折し、Ｇ色の光は直進する。したがって、各原色の画像が合成された後、スクリーン２１２０には、投射レンズ群２１１４によってカラー画像が投射される。
【００５７】
なお、ライトバルブ１００Ｒ、１００Ｇおよび１００Ｂには、ダイクロイックミラー２１０８によって、Ｒ色、Ｇ色、Ｂ色のそれぞれに対応する光が入射するので、カラーフィルタを設ける必要はない。また、ライトバルブ１００Ｒ、１００Ｂの透過像は、ダイクロイックプリズム２１１２により反射した後に投射されるのに対し、ライトバルブ１００Ｇの透過像はそのまま投射される。したがって、ライトバルブ１００Ｒ、１００Ｂによる水平走査方向は、ライトバルブ１００Ｇによる水平走査方向と逆向きにして、左右を反転させた像を表示する構成となっている。
【００５８】
４．変形例
本発明は上述の実施形態に限定されるものではなく、種々の変形実施が可能である。以下、変形例をいくつか説明する。以下の変形例のうち２つ以上のものが組み合わせて用いられてもよい。
【００５９】
４−１．変形例１
図１２は、映像信号線１６０Ｂおよび映像信号入力端子１６１Ａの変形例１に係る断面構造を示す模式図である。この図は図８と同様、図６におけるＡ−Ａ断面を示している。断面構造を示す以降の図も同様である。図８の例では、同一の配線層（配線層５０３）に、映像信号入力端子１６１Ａのパターンおよび映像信号線１６０Ｂのパターンが形成されていた。しかし、図１２の例では、両者は異なる配線層に形成されている。すなわち、映像信号線１６０Ｂのパターンが形成されている配線層５０３に、映像信号入力端子１６１Ａのパターンは形成されていない。配線層５０４には映像信号入力端子１６１Ａのパターンが形成され、映像信号線１６０Ｂのパターンは形成されていない。映像信号入力端子１６１Ａ（すなわち映像信号線１６０Ａ）および端子１６１Ｂ（すなわち映像信号線１６０Ｂ）には、波形が異なる信号が供給されることがあるが、変形例１のように映像信号入力端子１６１Ａと映像信号線１６０Ｂとが異なる配線層に形成されていることにより、両者が同じ配線層に形成されている場合と比較して両者の距離が遠くなり、容量性結合が弱くなる。すなわち、映像信号線１６０Ａと映像信号線１６０Ｂとの間の信号の干渉を低減することができる。
【００６０】
４−２．変形例２
図１３は、映像信号線１６０Ｂおよび映像信号入力端子１６１Ａの変形例２に係る断面構造を示す模式図である。この例では、映像信号線１６０Ｂのパターンが形成されている配線層５０３に映像信号入力端子１６１Ａのパターンも形成されている。しかし、配線層５０３における映像信号入力端子１６１Ａのパターンは他の配線層（配線層５０２および配線層５０４）における端子１６１Ａのパターンよりも幅が狭くなっており、映像信号線１６０Ｂと映像信号入力端子１６１Ａとの距離は、図８の例よりも遠くなっている。したがって変形例２によれば、図８の例と比較して信号の干渉を低減することができる。さらに、映像信号入力端子１６１Ａのパターンは配線層５０２、配線層５０３、および配線層５０４に渡って接続されているので、図１２の例と比較して映像信号入力端子１６１の冗長性を向上させることができる（端子部を低抵抗に保つことができる）。
【００６１】
４−３．変形例３
図１４は、映像信号線１６０Ｂおよび映像信号入力端子１６１Ａの変形例３に係る断面構造を示す模式図である。この例では、映像信号線１６０Ｂのパターンの周辺に、信号の干渉を遮蔽するシールド配線１９１〜１９８が形成されている。具体的には、映像信号線１６０Ｂのパターンが配線層５０３に形成されており、配線層５０２、配線層５０３、および配線層５０４のそれぞれにおいてシールドとなるシールド配線１９１〜１９８が形成されている。シールド配線１９１〜１９８には、所定の電位、例えば接地電位が与えられる。この例によれば、映像信号線１６０Ｂへの干渉をさらに低減することができる。なお、この例で、シールド配線１９１〜１９８の少なくとも１つは省略されてもよい。
【００６２】
４−４．変形例４
図１５は、映像信号線１６０Ｂおよび映像信号入力端子１６１Ａの変形例４に係る断面構造を示す模式図である。この例では、映像信号入力端子１６１Ａのパターンの周辺に、シールド配線１８７〜１８９が形成されている。より詳細には、素子基板１０１に垂直な方向から見たときに映像信号入力端子１６１Ａと重なる領域にシールド配線１８７〜１８９が形成されている。この例によれば、映像信号線１６０Ｂの配線負荷を抑制することができる。なお、映像信号入力端子１６１Ａだけでなく、素子基板１０１に垂直な方向から見たときに映像信号線１６０Ａに重なる領域にシールド配線が形成されてもよい。
【００６３】
４−５．変形例５
図１６は、変形例５に係る映像信号線１６０および映像信号入力端子１６１の構成を例示する図である。この例で、映像信号線１６０Ｂにおいては、映像信号入力端子１６１Ａと映像信号入力端子１６１Ｂとの間の領域ＡＢにおける配線幅ｄ１が、隣り合う２つの映像信号入力端子１６１Ａの間の領域ＡＮにおける配線幅ｄ２よりも広い（ｄ１＞ｄ２）。この例によれば、映像信号線１６０Ｂを低抵抗にすることができる。
【００６４】
さらに、この例では、映像信号線１６０Ａは、映像信号入力端子１６１Ａから映像信号入力端子１６１Ｂ側にも延びている。電気光学パネル１００においてはこの先に回路があるわけではないので、回路の観点からは、映像信号線１６０Ａは映像信号入力端子１６１Ａから画素領域１１０に向かって延びていればよく、映像信号入力端子１６１Ａから映像信号入力端子１６１Ｂ側に延びている必要はない。しかし、映像信号線１６０Ａが映像信号入力端子１６１Ｂ側まで延びていることにより、製造段階における試験の信号入力を容易にすることができたり、または電気光学パネルの表面をより平坦にすることができたりする。この例では、映像信号線１６０Ａのうち映像信号入力端子１６１Ａから映像信号入力端子１６１Ｂまで延びている部分の配線幅ｄ３は、配線幅ｄ１よりも狭く、配線幅ｄ２と等しい（ｄ３＜ｄ１，ｄ３＝ｄ２）。この例によれば、映像信号入力端子１６１Ｂの幅を広くすることができる。
【００６５】
なお図１６の例で、映像信号線１６０Ａは、映像信号入力端子１６１Ａから映像信号入力端子１６１Ｂ側に延びていなくてもよい。あるいは、映像信号線１６０Ａが映像信号入力端子１６１Ａから映像信号入力端子１６１Ｂ側に延びている場合において、配線幅はｄ１＝ｄ２であってもよい。
【００６６】
４−６．他の変形例
電気光学パネル１００と接合される配線基板の数は２つに限定されない。３つ以上の配線基板が電気光学パネル１００に接合されてもよい。上述の実施形態においては２つの配線基板が用いられたので端子群が２段に配置されていたが、例えば３つの配線基板が用いられる場合には端子群は３段に配置される。
【００６７】
電気光学パネル１００は、透過型の液晶パネルに限定されない。電気光学パネル１００は、反射型の液晶パネルであってもよい。また、用いられる液晶は、ＶＡ型の液晶に限定されず、ＴＮ（Twisted Nematic）型、ＩＰＳ（In Plane Switching）型など、他の方式の液晶が用いられてもよい。あるいは、電気光学パネル１００は、ＤＭＤ（Digital Mirror Device）や有機ＥＬ（Electroluminescence）素子など、液晶以外の電気光学素子を用いたものであってもよい。
【００６８】
電気光学パネル１００を用いた電子機器は、図１０で例示したプロジェクター２１００に限定されない。電気光学パネル１００は、直視型の表示装置を有する電子機器、例えば、テレビジョン、電子ビューファインダー、カーナビゲーション装置、ページャー、電子手帳、電卓、ワードプロセッサー、ワークステーション、テレビ電話、ＰＯＳ端末、デジタルスチルカメラ、携帯電話機、スマートフォン、またはタブレット型端末等に適用されてもよい。
【符号の説明】
【００６９】
１…電気光学装置、２０…第１配線基板、３０…第２配線基板、１００…電気光学パネル、１０１…素子基板、１０２…対向基板、１０８…共通電極、１１０…画素領域、１１１…画素、１１６…ＴＦＴ、１１７…保持容量、１１８…画素電極、１２０…液晶層、１３０…走査線駆動回路、１４０…選択信号線、１４５…選択信号入力端子、１５０…データ線選択回路、１５１…デマルチプレクサー、１５２…ＴＦＴ、１６０…映像信号線、１６１…映像信号入力端子、１７１…電源端子、１７２…電源端子、１７３…電源端子、１７４…電源線、１７５…電源線、１７６…電源線、５０１…半導体層、５０２…配線層、５０３…配線層、５０４…配線層、５０５…配線層、５０６…絶縁膜、５０７…絶縁膜、５０８…絶縁膜、５０９…キャップ層
【図１】
2018017811.tif 000003
【図２】
2018017811.tif 000004
【図３】
2018017811.tif 000005
【図４】
2018017811.tif 000006
【図５】
2018017811.tif 000007
【図６】
2018017811.tif 000008
【図７】
2018017811.tif 000009
【図８】
2018017811.tif 000010
【図９】
2018017811.tif 000011
【図１０】
2018017811.tif 000012
【図１１】
2018017811.tif 000013
【図１２】
2018017811.tif 000014
【図１３】
2018017811.tif 000015
【図１４】
2018017811.tif 000016
【図１５】
2018017811.tif 000017
【図１６】
2018017811.tif 000018